(57)【要約】      （修正有）【課題】単柱脚形式を採用することによって構成の簡略化や部品点数の低減化を図ることができる上に、脚支柱が邪魔になるのを抑制して使い勝手を向上させることができるテーブルを提供する。【解決手段】ベース１と、このベース１上に立設された単一の脚支柱２と、この脚支柱２上に支持された天板３と、この天板３の反使用端側に設けられたトレーとを具備してなるテーブルＴにおいて、前記脚支柱２が、天板３の中心ｃ３に対して一側方に偏移させて設けてあるとともに、前記トレーが他側方に偏移させて設けてある構成を採用する。【選択図】図２
2020049039.tif 000002
【特許請求の範囲】
【請求項１】
ベースと、このベース上に立設された単一の脚支柱と、この脚支柱上に支持された天板と、この天板の反使用端側に設けられたトレーとを具備してなるものであって、
前記脚支柱が、天板の中心に対して一側方に偏移させて設けてあるとともに、前記トレーが他側方に偏移させて設けてあるテーブル。
【請求項２】
前記天板は、平面視略長方形状のものであり、前記トレーは前記天板の左右方向寸法よりも短い左右方向寸法を備えたものである請求項１記載のテーブル。
【請求項３】
前記トレーは、先端縁部を前記天板の反使用端よりも外方に延出させた状態で前記天板の下面に止着された底板と、この底板の延出端から天板上面よりも高位置まで起立させた起立板とを備えたものであり、その起立板と前記天板との間に溝が形成されている請求項２記載のテーブル。
【請求項４】
前記脚支柱は、円柱状をなす支柱本体と、この支柱本体の下端に設けられた当該支柱本体よりも大径な基端取付部材と、前記支柱本体の上端に剛結された天板受部材とを備えたものである請求項１、２又は３記載のテーブル。
【請求項５】
前記ベースは、扁平な形状をなすものであり、このベースの上面と前記天板の下面との間に反脚支柱側に開放された下肢空間が形成されている請求項４記載のテーブル。
【請求項６】
前記ベースは、上面で前記脚支柱の基端取付部材を支持する下ベースプレートと、この下ベースプレートの上に添設された平板状の上ベースプレートとを備えたものであり、その上ベースプレートに設けられた貫通孔に前記基端取付部材の下端部分を嵌合させている請求項４又は５記載のテーブル。
【請求項７】
前記基端取付部材は、下端部分が前記上ベースプレートの貫通孔に嵌合する外周面を有したものであり、前記上ベースプレートの上面より上に位置する上端側部分が前記支柱本体の外面と前記上ベースプレートの上面とをスムーズに連続させる外面を有するものである請求項６記載のテーブル。
【発明の詳細な説明】
【技術分野】
【０００１】
本発明は、ソファ等と組み合わせて使用するのに好適なテーブルに関する。
【背景技術】
【０００２】
従来、この種のテーブルとして、ベッドやソファ等に着座した状態で使用するサポートテーブル等と称されるものが知られている。
【０００３】
ところで、近時のオフィス等においては、複数人が共通のディスプレイを見ながらソファに着座してプレゼンテーションやＴＶ会議等を行うようなワークスタイルが普及しつつあり、各着座者には、パーソナルコンピュータは筆記用具等を載置して使用するサポートテーブルが割り当てられることも少なくない。
【０００４】
かかるアクティブな状況で使用されるテーブルには、軽量で使いやすいものが好まれるものであり、かかる要望に応えるものとして左右対をなす脚体上にトレーを有した天板を配設したテーブルが開発されている（例えば、特許文献１）。
【０００５】
そして、かかるテーブルの使いやすさを単柱脚形式のテーブルにも移植したいという要望もあるが、従来の単柱脚テーブルは、例えば、ベースの中心に単一の脚支柱を立設し、その脚支柱上に例えば円形天板の中心部分を支持させたものが一般的である。そのため、前述したような使い方をする際には、中心部分に存在する脚支柱が邪魔になるだけでなく、筆記具等の小物類の収納にも不便を感じるものである。
【０００６】
このような課題は、必ずしもソファの前で使用されるテーブルに限らず、他の用途に用いられるテーブルにおいても同様に発生する可能性がある。
【先行技術文献】
【特許文献】
【０００７】
【特許文献１】特願２０１７−１７４９８１号明細書
【発明の概要】
【発明が解決しようとする課題】
【０００８】
本発明は、前述したような事情に鑑みてなされたもので、単柱脚形式を採用することによって構成の簡略化や部品点数の低減化を図ることができる上に、脚支柱が邪魔になるのを抑制して使い勝手を向上させることができるテーブルを提供しようとするものである。
【課題を解決するための手段】
【０００９】
請求項１記載の発明に係るテーブルは、ベースと、このベース上に立設された単一の脚支柱と、この脚支柱上に支持された天板と、この天板の反使用端側に設けられたトレーとを具備してなるものであって、前記脚支柱が、天板の中心に対して一側方に偏移させて設けてあるとともに、前記トレーが他側方に偏移させて設けてあるものである。
【００１０】
請求項２記載の発明に係るテーブルは、請求項１記載のものにおいて、前記天板が平面視略長方形状のものであり、前記トレーが前記天板の左右方向寸法よりも短い左右方向寸法を備えたものである。
【００１１】
請求項３記載の発明に係るテーブルは、請求項２記載のものにおいて、前記トレーが、先端縁部を前記天板の反使用端よりも外方に延出させた状態で前記天板の下面に止着された底板と、この底板の延出端から天板上面よりも高位置まで起立させた起立板とを備えたものであり、その起立板と前記天板との間に溝が形成されているものである。
【００１２】
請求項４記載の発明に係るテーブルは、請求項１、２又は３記載のものにおいて、前記脚支柱が、円柱状をなす支柱本体と、この支柱本体の下端に設けられた当該支柱本体よりも大径な基端取付部材と、前記支柱本体の上端に剛結された天板受部材とを備えたものである。
【００１３】
請求項５記載の発明に係るテーブルは、請求項４記載のものにおいて、前記ベースが、扁平な形状をなすものであり、このベースの上面と前記天板の下面との間に反脚支柱側に開放された下肢空間が形成されているものである。
【００１４】
請求項６記載の発明に係るテーブルは、請求項４又は５記載のものにおいて、前記ベースが、上面で前記脚支柱の基端取付部材を支持する下ベースプレートと、この下ベースプレートの上に添設された平板状の上ベースプレートとを備えたものであり、その上ベースプレートに設けられた貫通孔に前記基端取付部材の下端部分を嵌合させているものである。
【００１５】
請求項７記載の発明に係るテーブルは、請求項６記載のものにおいて、前記基端取付部材が、前記上ベースプレートの貫通孔に嵌合する外周面をその下端部分が有したものであり、前記上ベースプレートの上面より上に位置する上端側部分が前記支柱本体の外面と前記上ベースプレートの上面とをスムーズに連続させる外面を有するものである。
【発明の効果】
【００１６】
本発明によれば、単柱脚形式を採用することによって構成の簡略化や部品点数の低減化を図ることができる上に、脚支柱が邪魔になるのを抑制して使い勝手を向上させることができるテーブルを提供することができる。
【図面の簡単な説明】
【００１７】
【図１】本発明の一実施形態に係るテーブルを示す斜視図。
【図２】同実施形態に係るテーブルを示す正面図。
【図３】同実施形態に係るテーブルを示す平面図。
【図４】同実施形態に係るテーブルを示す右側面図。
【図５】同実施形態に係るテーブルを示す底面図。
【発明を実施するための形態】
【００１８】
本発明の一実施形態を、図１〜図５を参照しつつ説明する。
【００１９】
本実施形態に係るテーブルＴは、ベース１と、このベース１上に立設された単一の脚支柱２と、この脚支柱２上に支持された天板３と、この天板３の反使用端３ｂ側に設けられたトレー４とを具備してなるものであって、脚支柱２が、天板３の中心ｃ３に対して一側方に偏移させて設けてあるとともに、トレー４が他側方に偏移させて設けてある。換言すれば、トレー４の中心ｃ４を、天板３の中心ｃ３を挟んで脚支柱２の中心ｃ２と反対側となるように配している。
【００２０】
ベース１は、扁平な形状をなすものであり、このベース１の上面、本実施形態では後述する上ベースプレートの上面１２ａと前記天板３の下面３ｅとの間に、脚支柱２と反対側に開放された下肢空間Ｓが形成されている。このベース１は、上面１１ａで脚支柱２を支持する下ベースプレート１１と、この下ベースプレート１１の上に添設された平板状の上ベースプレート１２とを備えたものであり、その上ベースプレート１２に設けられた貫通孔１２ｘに脚支柱２の後述する基端取付部材２２の下端部分２２ａを嵌合させている。
【００２１】
脚支柱２は、円柱状をなす支柱本体２１と、この支柱本体２１の下端に設けられた当該支柱本体２１よりも大径な基端取付部材２２と、支柱本体２１の上端に剛結された天板受部材２３とを備えものである。支柱本体２１は、炭素鋼等で作られた丸パイプ製のもので、上端近傍部に上の板ナット２１１が固設されているとともに、下端近傍部に下の板ナット２１２が設けられている。基端取付部材２２は、下端部分２２ａが前記上ベースプレート１２の貫通孔１２ｘに嵌合する外周面２２ｃを有したものであり、前記上ベースプレート１２の上面１２ａより上に位置する上端側部分２２ｂが前記支柱本体２１の外面２１ａと上ベースプレート１２の上面１２ａとをスムーズに連続させる外面２２ｄを有するものである。天板受部材２３は、熱間圧延鋼板等により作られた平板状のもので、支柱本体２１の上の板ナット２１１に定着された皿ネジＢ１等により当該支柱本体２１上に剛結されている。この脚支柱２は、ベース１の下ベースプレート１１及び基端取付部材２２に下から貫通させた皿ネジＢ２を下の板ナット２１２に螺合させて緊締することにより、ベース１に止着するようにしている。
【００２２】
天板３は、平面視略長方形状をなす木製のもので、上面３ｄに木目を左右方向に配向したメラミン化粧板を備えているとともに、下面３ｅ側に脚支柱２取り付け用の埋設ナット３１と、トレー４取り付け用の埋設ナット３２がそれぞれ設けられている。そして、脚支柱２の天板受部材２３に下から貫通させた皿ネジＢ３を脚支柱２取付け用の埋設ナット３１に螺合させて緊締することによって、当該天板３が脚支柱２上に取付けられている。
【００２３】
トレー４は、天板３の左右方向寸法ｗ１よりも短い左右方向寸法ｗ２を備えたものであり、例えば、正面視右側方に偏移させて天板３に取付けられている。そのため、正面視において、トレー４の左側端４ｆと天板３の左側端３ｆとの間には、トレー４が存在しない自由空間ＳＳが形成されている。このトレー４は、鋼板を折り曲げて一体に構成されたもので、先端縁部を天板３の反使用端３ｂよりも外方に延出させた状態で、天板３の下面３ｅに止着された底板４１と、この底板４１の延出端から天板３の上面３ｄよりも高位置まで起立させた起立板４２とを備えたものであり、その起立板４２と前記天板３との間に溝Ｍが形成されている。この溝Ｍは、スマートフォンやタブレットの下端部を挿入し得る寸法に設定されているもので、筆記具なども収容することができるようになっている。溝Ｍの内面を構成する底板４１と起立板４２の表面にはフェルト層４１ａ、４２ａがそれぞれ形成されている。なお、底板４１の天板３への止着は、この底板４１に下から貫通させた皿ネジＢ４をトレー４取り付け用の埋設ナット３２に螺合させて緊締することにより行うようにしている。
【００２４】
このような構成のものであれば、例えば、ソファに着座した使用者に天板３の使用端３ａを向けて使用したり（第一使用態様）、９０度姿勢を変えてベース１の正面視右側をソファの座下の空間に侵入させて使用者の脇に天板３を配して使用したり（第二使用態様）することができる。第一使用態様の場合、トレー４が正面視右側に偏移しているため、使用者は直感的に脚支柱２の右側に下肢を位置させてテーブルＴを使用することになる。そのため、使用中は真正面にトレー４が存在することになり天板３とトレー４を有効に使って作業を進めることができる。そして、天板３下に形成された下肢空間Ｓは、右側方に開放されているため、テーブルＴを少し動かすだけで使用者は天板３の前から抜け出すことが可能であり、休憩その他の動きにも適正に対応することが可能になる。一方、前述した第二使用態様の場合には、脚支柱２（の中心ｃ２）がテーブルＴの中心（天板３の中心ｃ３）から偏移しているため、ベース１をソファの座下空間に深く侵入させることが可能になり、それに伴って天板３もソファの座面上に深く覆いかぶさることになる。そのため、ソファに着座している使用者の横にテーブルＴを配置することができる。そのため、ソファからテーブルＴが大きく出っ張るのを抑制することができ、ソファの前を他のワーカーが行き来きし易くなる。この際、天板３の端よりもトレー４の端が前述した自由空間分だけソファ側に控える形になるため、ソファの前を行き来するワーカーの手や衣類などがトレー４に触れたり引っ掛かったりするのを抑制することができる。テーブルＴを使用しない場合も、第二使用態様に準じた姿勢でソファに噛み込ませて待機させておくことが可能であるが、その際にも同様にソファの前を行き来する人の邪魔になり難いという効果は発揮される。
【００２５】
このテーブルＴは、一本の脚支柱２により天板３を支えるものであるため、複数の脚により天板を支えるものに比べて部品点数を少なくすることが容易であるだけでなく、従来の単柱脚式のテーブルＴとは違って脚支柱２を天板３の中心ｃ３から偏移させているので、使用者にとって脚支柱２が邪魔になる可能性を低下させることができ使い勝手を向上させることができる。しかも、トレー４を脚支柱２と反対側に偏移させている、すなわちトレー４の中心ｃ４が天板３の中心ｃ３を挟んで脚支柱２の中心ｃ２と反対側となるようにしているので、第一使用形態で説明したように使用者を下肢空間Ｓが広い側に直感的に誘導する作用も期待できる。その上、トレー４を偏移させておけば、第二使用形態で説明したように、トレー４が邪魔になるのを抑制することも可能になる。
【００２６】
なお、本発明は以上に述べた実施形態に限らない。
【００２７】
例えば、天板の形状やトレーの左右方向寸法は任意のものを採用してもよい。但し、上述した実施形態のように、天板が平面視略長方形状のものであり、トレーが天板の左右方向寸法よりも短い左右方向寸法を備えたものであれば、トレー全体を天板の左右方向寸法内に納めるようにして使用時に付近を通行する者の邪魔にならないようにすることができる。
【００２８】
また、トレーの形状も任意のものを採用してもよい。但し、上述した実施形態のように、先端縁部を天板の反使用端よりも外方に延出させた状態で天板の下面に止着された底板と、この底板の延出端から天板上面よりも高位置まで起立させた起立板とを備え、その起立板と前記天板との間に溝が形成されている態様のトレーを採用すれば、溝の内部に筆記具を収納することや、スマートフォンやタブレットの下端部を溝に挿入した状態でトレーにそのスマートフォンやタブレットを保持させておくことができる。
【００２９】
脚支柱の形状その他の構成も、上述した実施形態のようなものに限らず、支柱本体が角柱状その他多角形柱状をなすもの等、任意のものを採用してよい。また、支柱による天板の支持態様も任意のものを採用してよい。但し、上述した実施形態のように、円柱状をなす支柱本体と、この支柱本体の下端に設けられた当該支柱本体よりも大径な基端取付部材と、前記支柱本体の上端に剛結された天板受部材とを備える態様の脚支柱であれば、天板を脚支柱に安定して支持させておくことができるようにしつつ、このテーブル自体を床面上に安定して載置させておくことができる。
【００３０】
ベースの形状その他の構成も任意のものを採用してよい。但し、上述した実施形態のように、ベースが扁平な形状をなすものであり、このベースの上面と天板の下面との間に反脚支柱側に開放された下肢空間が形成されているものであれば、脚支柱が天板の中心に対して一側方に偏移させて設けてあるとともに、トレーが他側方に偏移させて設けてあることと併せて、使用端側に着座して使用する際に下肢空間に使用者の下肢を無理なく収納させて自然な体勢で使用させるようにすることができる。また、これも上述した実施形態のように、上面で脚支柱の基端取付部材を支持する下ベースプレートと、この下ベースプレートの上に添設された平板状の上ベースプレートとを備えたものであり、その上ベースプレートに設けられた貫通孔に基端取付部材の下端部分を嵌合させている構成を採用したものであれば、
そして、基端取付部材の形状も任意のものを採用してもよいが、上述した実施形態のように、下端部分が上ベースプレートの貫通孔に嵌合する外周面を有し、上ベースプレートの上面より上に位置する上端側部分が支柱本体の外面と上ベースプレートの上面とをスムーズに連続させる外面を有するものであれば、このテーブルを安定して床面に載置できるようにしつつ、外観を整えることができる。
【００３１】
その他、本発明の趣旨を損ねない範囲で種々に変形してよい。
【符号の説明】
【００３２】
Ｔ…テーブル
１…ベース
１１…下ベースプレート
１２…上ベースプレート
１２ａ…ベースの上面
１２ｘ…貫通孔
２…脚支柱
２１…支柱本体
２１ａ…支柱本体の外面
２２…基端取付部材
２２ａ…下端部分
２２ｂ…外周面
２２ｃ…上端側部分
２２ｄ…外面
２３…天板受部材
３…天板
３ｄ…天板の上面
３ｅ…天板の下面
４…トレー
４１…底板
４２…起立板
ｃ３…天板の中心
ｗ１…天板の左右方向寸法
ｗ２…トレーの左右方向寸法
Ｍ…溝
Ｓ…下肢空間
【図１】
2020049039.tif 000003
【図２】
2020049039.tif 000004
【図３】
2020049039.tif 000005
【図４】
2020049039.tif 000006
【図５】
2020049039.tif 000007